(57)【要約】【課題】持ち運びに便利で、しかも使用後の処分がきわめて簡単な、ペットボトルなどの瓶を尿受止容器として利用した携帯用排尿補助具を提供する。【解決手段】ペットボトルや注ぎ口付き紙パックなどの排尿容器２０と組み合わせて使用される排尿補助具１０であって、上部１ａを開口させ、折り畳み可能にした、防水性のある、あるいは防水加工された受止容器１の底部に排尿誘導筒２を突出形成して、該排尿誘導筒２を排尿容器２０の開口部に挿着させる構造にしている。【選択図】図１
2006034575.tif 000002
【特許請求の範囲】
【請求項１】
ペットボトルや注ぎ口付き紙パックなどの排尿容器と組み合わせて使用される排尿補助具であって、
上部を開口させ、折り畳み可能にした、防水性のある、あるいは防水加工された受止容器の底部に排尿誘導筒を突出形成して、該排尿誘導筒を上記排尿容器の開口部に挿着させる構造にしている携帯用排尿補助具。
【請求項２】
請求項１において、
上記受止容器は、防水性のある、あるいは防水加工された、柔軟な紙、布、不織布、合成樹脂などで製されていることを特徴とする携帯用排尿補助具。
【請求項３】
請求項１または２において、
上記排尿誘導筒は、紙、合成樹脂などで製された芯部を含んでいることを特徴とする携帯用排尿補助具。
【請求項４】
請求項１または２において、
上記排尿誘導筒は、未使用時には、上記受止容器の底部に形成した孔部より、容器側に収容されているものである携帯用排尿補助具。
【発明の詳細な説明】
【技術分野】
【０００１】
本発明は、走行中のバス、自動車内や登山、その他の緊急時に使用される携帯用排尿補助具に関するものである。
【背景技術】
【０００２】
近年、走行中のバスや自動車内や登山、その他の緊急時に使用できる携帯用排尿器が各種開発されている。
次の特許文献には、従来の携帯用排尿器の代表的な２例が記載されている。いずれも、尿収容体に排尿受部材を取り付けて使用できるようになっており、使用しないときには持ち歩きをしやすくするために両者が分離できるような構造となっている。
【特許文献１】特開２００２−２１９０７４号公報
【特許文献２】特開２００１−１１２６６７号公報
【発明の開示】
【発明が解決しようとする課題】
【０００３】
ところが、排尿受部材と尿収容体はともに、プラスティック等で製された物であり、折り畳むなどして、全体の体積を小さくすることはできないため、たとえ分離して袋等に収納したとしても、持ち歩くには決して便利とはいえず、また見栄えもよくない。また、使用後には容器に溜まった尿を処分し、両部材を洗浄しなければならないため、旅先等でいちど利用してしまうと、その後の処理が意外に面倒でもある。
【０００４】
本発明は、このような従来の携帯用排尿器の種々の問題を解決するために提案されたものであり、その目的は、持ち運びに便利で、しかも使用後の処分がきわめて簡単な、空のペットボトルなどを排尿容器として利用した携帯用排尿補助具を提供することにある。
【課題を解決するための手段】
【０００５】
上記目的を達成するために、請求項１に記載の携帯用排尿補助具は、ペットボトルや注ぎ口付き紙パックなどの排尿容器と組み合わせて使用される排尿補助具であって、上部を開口させ、折り畳み可能にした、防水性のある、あるいは防水加工された受止容器の底部に排尿誘導筒を突出形成して、該排尿誘導筒を排尿容器の開口部に挿着させる構造にしている。
つまり、携帯用排尿補助具の上部の開口が尿受入口となり、排出された尿が排尿誘導筒を経由して、排尿誘導筒を挿着させた排尿容器に流れ込むようになっている。
【０００６】
請求項２では、請求項１において、受止容器が防水性のある、あるいは防水加工された、柔軟な紙、布、不織布、合成樹脂などで製されていることを特徴とする。
【０００７】
請求項３では、請求項１または２において、排尿誘導筒は紙、合成樹脂などで製された芯部を含んでいることを特徴とする。
【０００８】
請求項４では、請求項１または２において、排尿誘導筒は、未使用時には、受止容器の底部に形成した孔部より、容器側に収容されていることを特徴とする。
【発明の効果】
【０００９】
請求項１〜４に記載の携帯用排尿補助具は折り畳みできるようになっているため、未使用時は折り畳んだ状態で、カバン、ウエストポーチ、背広の内ポケットなどに入れて持ち運びすることができる。
【００１０】
また、空のペットボトルや注ぎ口付き紙パックを排尿容器として利用しているので、どこでも簡単に準備することができる。また、使用後に容器に溜まった尿をトイレで処分したのちは、容器自体を持ち帰ることなく廃棄することができ、衛生的である。また、どのペットボトルも開口部が概ね同一サイズであるため、空きペットボトルであれば、ボトルサイズ、種類に関係なく利用することができる。
【００１１】
請求項２では、受止容器が柔軟な紙、布、不織布、合成樹脂などで製されているので、折り畳みがしやすく、また安価で製造できるので使い捨てにすることができ、使用後の処分がきわめて簡単にできる。また、防水性のある、あるいは防水加工されている素材を使用するので、尿が排尿補助具より漏れ出る心配もない。
また、安価に製造できるため、飲料水メーカーや旅行会社、鉄道、バス会社、コンビニエンスストアなどの無料提供サービスにも利用できる。たとえば、観光バスに乗り込む際に、この排尿補助具と空きペットボトルを客に手渡すようなサービスをしてもよいし、バスの座席に常備させてもよい。また、コンビニエンスストアで飲料水のおまけ品として提供してもよい。また、受止容器の表面に広告を印刷して、ノベルティ商品として利用することもできる。
【００１２】
請求項３では、排尿誘導筒には紙、合成樹脂などで製された芯部が含まれているので、使用するときに容器底部の孔部が閉塞されることがない。
【００１３】
請求項４では、未使用時には、排尿誘導筒を受止容器の底部に形成した孔部より、容器側に収容されるようになっているので、携帯にはさらに便利である。また、使用するときには、孔部を箸や棒などで突付き、あるいは息を吹きかけるなどすれば、簡単に容器の外方に突出させることができる。
【発明を実施するための最良の形態】
【００１４】
以下に、本発明の実施の形態について、図面とともに説明する。なお、以下には携帯用排尿補助具の複数の例を示しており、補助具全体の符号のみ異なるもの（１０、１０Ａ・・・）を付しているが、それらの構成要素には同一の符号を付している。
【００１５】
図１は、本発明の携帯用排尿補助具の一例を示す使用説明図である。
この携帯用排尿補助具１０は男性用を示しており、直接尿を排出させるための受止容器１と、その底部に突出形成させた排尿誘導筒２とにより構成されている。その受止容器１の上部には受入口１ａを設け、底部には排尿誘導筒２に尿を排出するための孔部１ｂを設けている。この排尿誘導筒２は先細になっており、孔部１ｂ付近の一部または全部が芯部２ａで構成されている。また、先端部２ｂは開口している。なお、受入口１ａをより大きくするために、後述する女性用の携帯用排尿補助具と同様にマチを設けてもよい。
【００１６】
受止容器１および排尿誘導筒２は、防水性のある、あるいは防水加工された柔軟な紙、布、不織布、合成樹脂などで製されている。宅配便に利用される防水および撥水加工された包装紙などを再利用して製してもよい。また、受止容器１と排尿誘導筒２とは一体的に形成してもよいし、別体形成して結合させてもよい。
【００１７】
また、芯部２ａは、ボール紙やプラスティックなどの材料で製されている。このように製した筒を芯部２ａとして、排尿誘導筒２に挿着することが望ましいが、芯部２ａと、芯部２ａ以外の柔軟な材料で製された部分とをつなぎ合わせてもよい。また、芯部２ａは固い材料で製されることが望ましいが、図２に示すように、排尿誘導筒２の一部を２重に重ね合わせることにより芯部２ａを形成するようにしてもよい。その他、紙を何枚も重ね合わせて製された排尿誘導筒２の全体を芯部２ａとしてもよい。
【００１８】
また、携帯用排尿補助具１０の使用前（未使用時）には、受入口１ａを平たく閉じておくことや、芯部２ａ以外の任意の箇所で折り畳むことを可能としている。なお、柔軟の程度は折り曲げ可能な程度であればよい。
このように折り畳み可能にしているので、折り畳んだ状態で、カバン、ウエストポーチ、背広の内ポケットなどに入れて持ち運びすることができる。
【００１９】
そして使用するときには、図１に示すように、尿を受け止めることができるよう、受入口１ａを広げて排尿補助具１０の全体を立体的に整え、その排尿誘導筒１ｃをペットボトルなど排尿容器２０の開口部２０ａに挿入したのち、受止容器１の受入口１ａに対して排尿する（図中の矢印）。なお、図に示すように、受止容器１を縦にして使用してもよいし、座った状態で排尿できるように、受止容器１を寝かせて使用してもよい。
どのような状態で使用しても、芯部２ａがあるため、孔部１ｂが閉塞されてしまうことはないため、使用中に受止容器１の受入口１ａから尿が溢れ出る心配がない。
【００２０】
以上のように、この携帯用排尿補助具１０は、使用済みの飲料水ペットボトルや注ぎ口付きの紙パックを再利用できるので、旅行に出るときなどには排尿補助具１０を携帯し、自動車、バスなどに乗り込む際に空きのペットボトルなどの容器を準備すれば、車内での緊急のときにも用を足すことができる。また、登山、ハイキングにも携帯しやすいため、自然環境の保護にも貢献することができる。
【００２１】
また、どのペットボトルも開口部が概ね同一サイズであるため、空きペットボトルであれば、ボトルサイズ、種類に関係なく利用することができる。ペットボトルのような瓶型のものに限らず、たとえば、紙製のキャップ付き酒パックを再利用してもよい。酒パックの注ぎ口はペットボトルの口より小さいが、排尿誘導筒２を先細にすれば、同じ形、サイズの補助具でも対応が可能である。
【００２２】
また、この排尿補助具１０は紙等の素材で安価に製造することができるので、使い捨てにすることができるし、使用後のペットボトルや紙パックも通常のゴミとして処分することができる。つまり、使用後の処分がきわめて簡単である。
【００２３】
このような携帯用排尿補助具１０は、飲料水メーカーや旅行会社、鉄道、バス会社、コンビニエンスストアなどが無料サービスとして提供されるようにしてもよい。たとえば、観光バスに乗り込む際に、この排尿補助具１０と空きペットボトル２０を客に手渡すようなサービスをしてもよいし、バスの座席に常備させてもよい。また、コンビニエンスストアで飲料水のおまけ品として提供してもよい。また、受止容器１の表面に広告を印刷して、ノベルティ商品として配布するようにしてもよい。無料サービスにすれば、携帯用排尿補助具は普及し、多くの旅行者、登山愛好家が抵抗なく使用することができるようになる。
【００２４】
図３は、携帯用排尿補助具１０、１０Ａの折り畳んだ状態を示す図である。（ａ）は受止容器１の底部で排尿誘導筒２を折り曲げた状態を示しており、（ｂ）は排尿誘導筒２を孔部１ｂより容器側に収容させた状態を示している。
図３（ｂ）に示す排尿補助具１０Ａは、未使用時には排尿誘導筒２が容器側に収容されており、かつ、その先端部２ｂが閉塞されている。使用時には、指で排尿誘導筒２を引っ張り出し、箸や棒などで排尿誘導筒２を突付き、あるいは息を吹きかけるなどして、容器の外方に突出させ、先端をはさみなどで切って開口すれば、すぐに使用することができる。排尿誘導筒２の先端部２ａは、閉塞されているほうが好ましいが、簡単に外方に突出させることができれば、開いていてもよい。
なお、排尿誘導筒２を容易に突出させるために、少なくとも排尿誘導筒２は、芯部を設けず、より柔軟なビニールなどで製されていることが望ましい。
【００２５】
図４は、使用後の取り扱いをしやすくするために工夫された携帯用排尿補助具の例を示す図である。
この携帯用排尿補助具１０Ｂは、受止容器１の受入口側に蓋部１ｃと蓋閉めするための粘着部１ｄとを設け、排尿誘導筒２の先端側には別の粘着部２ｃを設けたものである。使用後に受入口１ａの蓋１ｃと先端部２ｂとを図中の点線で折り曲げてやれば、補助具内に残った尿が洩れ出るのを防ぐことができる。
これら粘着部１ｄ、２ｃは、糊や両面粘着テープなどで形成されており、排尿使用後に剥離テープをはがして使用できるようになっている。なお、粘着部１ｄ、２ｃは、図中の位置に限られず、蓋側、先端部側に取り付けてもよい。
【００２６】
図５は、携帯用排尿補助具の他例を示す使用説明図である。
この携帯用排尿補助具１０Ｃは、座った状態でより使用しやすくするために、排尿誘導筒２が、容器１に入ってきた尿が流れ込みやすい底部位置に設けられている。具体的には、排尿誘導筒２が、受止容器１の左右いずれか１辺から、直線的にあるいは円弧状に延出されるように製されるようになっていればよい。
また、排尿容器２０までの排尿の流れをよりスムースにするために、排尿誘導筒２の一部または全部にプラスティック等の強固な芯部２ａを含ませればよい。
【００２７】
図６は、携帯用排尿補助具の他例を示す使用説明図である。
この携帯用排尿補助具１０Ｄは、排尿誘導筒２を排尿容器２０の開口部２０ａに挿着させるために、排尿容器の開口部２０ａに螺合させるネジ連結具３をさらに備えている。このネジ連結具３は、ペットボトルなどの蓋を再利用して、排尿誘導筒２に固定させておけばよい。固定させておくために、連結具３を取り付ける排尿誘導筒２の箇所をプラスティックで製して、その箇所に接着剤で連結具３を固着すればよい。なお、図６（ａ）は連結前、（ｂ）は連結後を示している。
このように、携帯用排尿補助具１０Ｄと排尿容器２０とがネジで螺合、固定できるようになっているので、自動車走行中に使用するときでも排尿補助具１０Ｄが排尿容器２０から外れてしまうことがなく、また排尿容器２０が倒れる心配もない。
【００２８】
図７は、女性用の携帯用排尿補助具の一例を示す図である。（ａ）は使用時の斜視図を示し、（ｂ）は使用時の平面図、（ｃ）は折り畳んだときの平面図を示している。
女性用では、受止容器１の受入口１ａを大きくするため、厚みを増すためのマチ１ｅを入れている。（ｂ）、（ｃ）で示す２点鎖線は、折り畳んだときのマチ１ｅの折り曲げ線を示している。
なお、女性用の排尿補助具１０Ｅも受止容器１の形状は異なるが、男性用と同様の特徴を有している。
【図面の簡単な説明】
【００２９】
【図１】本発明の（男性用）携帯用排尿補助具の一例を示す使用説明図である。
【図２】携帯用排尿補助具の芯部の一例を示す図である。
【図３】（ａ）、（ｂ）は本発明の携帯用排尿補助具を折り畳んだ状態を示す図である。
【図４】本発明の（男性用）携帯用排尿補助具の他例を示す図である。
【図５】本発明の（男性用）携帯用排尿補助具のさらに他の例を示す使用説明図である。
【図６】本発明の（男性用）携帯用排尿補助具のさらに他の例を示す使用説明図である。（ａ）は携帯用排尿補助具を排尿容器に連結する前の状態、（ｂ）は連結後の状態を示している。
【図７】本発明の（女性用）携帯用排尿補助具であり、（ａ）は使用時の斜視図、（ｂ）使用時の平面図、（ｃ）は折り畳み時の平面図である。
【符号の説明】
【００３０】
１０、１０Ａ、１０Ｂ、１０Ｃ、１０Ｄ      男性用の携帯用排尿補助具
１０Ｅ      女性用の携帯用排尿補助具
１      受止容器
１ａ      受入口
１ｂ      孔部
１ｃ      蓋部
１ｄ      粘着部
１ｅ      マチ（女性用）
２      排尿誘導筒
２ａ      芯部
２ｂ      先端部
２ｃ      粘着部
２０      排尿容器
２０ａ      開口部
【図１】
2006034575.tif 000003
【図２】
2006034575.tif 000004
【図３】
2006034575.tif 000005
【図４】
2006034575.tif 000006
【図５】
2006034575.tif 000007
【図６】
2006034575.tif 000008
【図７】
2006034575.tif 000009